(57)【要約】【課題】可変レート通信リンク上において効率的に同期接続を搬送するための方法を提供する。【解決手段】本発明の通信方法は、可変データレートを有する無線通信リンク上の送信のため、2つ又はそれ以上のデータ発信元から入力データを受取る段階であって1つ又はそれ以上のデータ発信元が連続同期トリビュタリを有する段階と、データ発信元に対してそれぞれの相対的優先順位を割当てる段階と、通信リンクの現在利用可能なデータレートを決定する段階と、合成データストリームを形成するためデータ発信元から受取った入力データを多重化する段階と、合成データストリームのデータレートを通信リンクの現在利用可能なデータレートに一致させるためそれぞれの相対的優先順位に基づいて合成データストリームからトリビュタリの中の少なくとも1つのものの入力データを選択的に除外する段階と、通信リンク上で合成データストリームを送信する段階とを有する。【選択図】なし【特許請求の範囲】
【請求項１】
可変データレートを有する無線通信リンク上における送信のために、２つ又はそれ以上のデータ発信元から入力データを受け取る段階であって、１つ又はそれ以上の前記データ発信元が連続した同期トリビュタリを有している、段階と、
前記データ発信元に対してそれぞれの相対的な優先順位を割り当てる段階と、
前記通信リンクの現在利用可能なデータレートを決定する段階と、
合成データストリームを形成するために前記データ発信元から受け取った前記入力データを多重化する段階と、
前記合成データストリームのデータレートを前記通信リンクの前記現在利用可能なデータレートに対して一致させるために、前記それぞれの相対的な優先順位に基づいて、前記合成データストリームから前記同期トリビュタリ中の少なくとも１つのものの前記入力データを選択的に除外する段階と、
前記通信リンク上において前記合成データストリームを送信する段階と、
を有していることを特徴とする通信のための方法。
【請求項２】
それぞれの前記同期トリビュタリにおける前記入力データは時分割多重（ＴＤＭ）を用いて多重化される請求項１に記載の方法。
【請求項３】
前記通信リンクはポイントツーポイントリンクを有している請求項１に記載の方法。
【請求項４】
前記現在利用可能なデータレートを決定する段階は、
前記通信リンクの反対側において前記送信された合成データストリームを受信する段階と、
前記受信した合成データストリームの受信品質を評価する段階と、
前記評価された受信品質に応答して前記現在利用可能なデータレートを決定する段階と、
を有している請求項１に記載の方法。
【請求項５】
前記受信品質を評価する段階は、前記受信した合成データストリームにおける受信信号レベル（ＲＳＬ）、信号対雑音比（ＳＮＲ）、信号対干渉雑音比（ＳＩＮＲ）、平均二乗誤差（ＭＳＥ）、ビット誤り率（ＢＥＲ）及びフレーム誤り率（ＦＥＲ）からなるメトリックのグループから選択された少なくとも１つのメトリックを含む受信品質メトリックを評価する段階を有している請求項４に記載の方法。
【請求項６】
前記合成データストリームを送信する段階は、前方誤り訂正（ＦＥＣ）符号を用いて前記合成データストリームを符合化する段階を有し、
前記送信された合成データストリームを受信する段階は、ＦＥＣ復号器を用いて前記ＦＥＣ符号を復号する段階を有し、
前記受信品質を評価する段階は、前記ＦＥＣ復号器により提供されるメトリックを用いて前記受信品質を評価する段階を有している請求項４に記載の方法。
【請求項７】
前記送信された合成データストリームを受信する段階は、適応型係数を有する適応型イコライザを用いて前記受信した合成データストリームにフィルタをかける段階を有し、
前記受信品質のメトリックは、前記適応型係数の値に基づいている請求項４に記載の方法。
【請求項８】
前記合成データストリームを送信する段階は、
変調スキーム及び前方誤り訂正（ＦＥＣ）符号それぞれを定める事前に定められた適応型符号変調（ＡＣＭ）プロファイルの組から、前記現在利用可能なデータレートに対応するＡＣＭプロファイルを選択する段階と、
前記選択されたＡＣＭプロファイルによって定義されるＦＥＣ符号を用いて前記合成データストリームを符合化する段階と、
前記選択されたＡＣＭプロファイルによって定義される変調スキームを用いて前記符合化されたデータストリームを変調する段階と、
を有している請求項１に記載の方法。
【請求項９】
前記相対的な優先順位を割り当てる段階は、前記ＡＣＭプロファイルを選択する際に、それぞれのＡＣＭプロファイルの中で前記データ発信元の中のどれを、前記合成データストリームから除外するべきかを特定する段階を有し、
前記入力データを多重化する段階は、前記合成データストリームから、前記選択されたＡＣＭプロファイルの中で特定された前記データ発信元の前記入力データを除外する段階を有している請求項８に記載の方法。
【請求項１０】
前記入力データを受け取る段階は、前記同期トリビュタリの中の１つをカプセル化する一連のデータパケットを受け取る段階を有し、
前記合成データストリームから前記同期トリビュタリの中の前記１つのものの前記入力データを除外する段階は、前記一連の中の前記データパケットを廃棄する段階を有している請求項１に記載の方法。
【請求項１１】
１つ又はそれ以上の前記データ発信元はパケット発信元を有し、
前記入力データを受け取る段階は、前記パケット発信元から前記通信リンク上における送信のためのデータパケットを受け取る段階を有し、
前記相対的な優先順位を割り当てる段階は、前記同期トリビュタリに対して及び前記パケットに対して前記優先順位を一緒に割り当てる段階を有し、
前記入力データを多重化する段階は、前記データパケットのフローを選択的に規制しつつ、前記同期トリビュタリ及び前記パケット発信元より受け取った前記データパケットから受け取った、前記入力データを一緒に多重化する段階を有している請求項１に記載の方法。
【請求項１２】
前記パケットに対して前記優先順位を割り当てる段階は、それぞれの前記パケットに対してそれぞれの優先順位の値を個々に割り当てる段階を有している請求項１１に記載の方法。
【請求項１３】
前記パケットに対して前記優先順位を割り当てる段階は、前記パケット発信元のそれぞれに対して、それぞれの優先順位の値を割り当てる段階を有している請求項１１に記載の方法。
【請求項１４】
前記相対的な優先順位を割り当てる段階は、前記同期トリビュタリの属性に基づいてそれぞれの同期トリビュタリにおける数で示されるスコアを計算する段階を有し、
前記合成データストリームから前記入力データを選択的に除外する段階は、前記合成データストリームの前記データレートが前記通信リンクの前記現在利用可能なデータレートを超えないまで、最小のスコアを有する前記同期トリビュタリを順次除外する段階を有している請求項１に記載の方法。
【請求項１５】
前記通信リンクの反対側において受信機によって前記送信された合成データストリームを受信する段階と、
前記受信した合成データストリームを逆多重化して、前記入力データを再構成する段階と、
を有している請求項１に記載の方法。
【請求項１６】
前記合成データストリームを送信する段階は、前記受信機が前記受信した合成データストリームを逆多重化できるように、前記受信機に対して前記合成データストリームの中に前記データ発信元の中のどれが多重化されているのかを示す段階を有している請求項１５に記載の方法。
【請求項１７】
前記同期トリビュタリの中の少なくとも１つのものの前記入力データは、階層的構造のＴＤＭデータを有している請求項１に記載の方法。
【請求項１８】
前記通信リンクは、マイクロ波及びミリメートル波リンクの中の１つを有している請求項１に記載の方法。
【請求項１９】
前記無線通信リンクは、ポイントツーマルチポイント形態において動作される複数の無線通信リンクの中の１つである請求項１に記載の方法。
【請求項２０】
可変データレートを有する無線通信リンク上における送信のために、２つ又はそれ以上のデータ発信元から入力データを受け取る段階であって、１つ又はそれ以上の前記データ発信元が連続した同期トリビュタリを有している、段階と、
前記データ発信元に対してそれぞれの相対的な優先順位を割り当てる段階と、
前記通信リンクの現在利用可能なデータレートを決定する段階と、
合成データストリームを形成するために前記データ発信元から受け取った前記入力データを多重化する段階と、
前記合成データストリームのデータレートを前記通信リンクの前記現在利用可能なデータレートに対して一致させるために、前記それぞれの相対的な優先順位に基づいて、前記合成データストリームから前記データ発信元の中の少なくとも１つのものの前記入力データを選択的に除外する段階と、
前記通信リンク上において前記合成データストリームを送信する段階と、
を有していることを特徴とする通信のための方法。
【請求項２１】
合成データストリームを形成するために、２つ又はそれ以上のデータ発信元から受け取った入力データを多重化するべく構成されたコンバイナであって、１つ又はそれ以上の前記データ発信元が連続した同期トリビュタリを有している、コンバイナと、
通信リンクの現在利用可能なデータレートにおいて、前記通信リンク上において前記合成データストリームを送信するべく構成された、可変レート送信機と、
前記合成データストリームのデータレートを前記通信リンクの前記現在利用可能なデータレートに対して一致させるために、前記現在利用可能なデータレートを決定し、且つ、前記データ発信元に割り当てられた相対的な優先順位に基づいて前記合成データストリームから前記同期トリビュタリの中の少なくとも１つのものの前記入力データを前記コンバイナに選択的に除外させるべく構成されたプロセッサと、
を有していることを特徴とする通信装置。
【請求項２２】
それぞれの前記同期トリビュタリにおける前記入力データは時分割多重（ＴＤＭ）を用いて多重化される請求項２１に記載の装置。
【請求項２３】
前記通信リンクはポイントツーポイントリンクを有している請求項２１に記載の装置。
【請求項２４】
前記送信された合成データストリームを受信し且つ前記受信した合成データストリームの受信品質を評価するべく構成された受信機を有し、
前記プロセッサ及び前記受信機の中の少なくとも１つは、前記評価された受信品質に応答して前記現在利用可能なデータレートを決定するべく構成されている請求項２１に記載の装置。
【請求項２５】
前記受信機は、前記受信した合成データストリームにおける受信信号レベル（ＲＳＬ）、信号対雑音比（ＳＮＲ）、信号対干渉雑音比（ＳＩＮＲ）、平均二乗誤差（ＭＳＥ）、ビット誤り率（ＢＥＲ）及びフレーム誤り率（ＦＥＲ）からなるメトリックのグループから選択された少なくとも１つのメトリックを含む受信品質メトリックを評価することによって前記受信品質を評価するべく構成されている請求項２４に記載の装置。
【請求項２６】
前記送信機は、前方誤り訂正（ＦＥＣ）符号を用いて前記合成データストリームを符合化するべく構成され、
前記受信機は、前記ＦＥＣ符号を復号するべく構成されたＦＥＣ復号器を有し、
前記受信機は、前記ＦＥＣ復号器により提供されるメトリックを用いて前記受信品質を評価するべく構成されている請求項２４に記載の装置。
【請求項２７】
前記受信機は、適応型係数を用いて前記受信した合成データストリームにフィルタをかけるべく構成された適応型イコライザを有し、
前記受信品質のメトリックは、前記適応型係数の値に基づいている請求項２４に記載の装置。
【請求項２８】
前記送信機は、
変調スキーム及び前方誤り訂正（ＦＥＣ）符号それぞれを定める事前に定められた適応型符号変調（ＡＣＭ）プロファイルの組から、前記現在利用可能なデータレートに対応するＡＣＭプロファイルを選択し、
前記選択されたＡＣＭプロファイルによって定義されるＦＥＣ符号を用いて前記合成データストリームを符合化し、且つ、前記選択されたＡＣＭプロファイルによって定義される変調スキームを用いて前記符合化されたデータストリームを変調することによって、前記合成データストリームを送信する、
べく構成されている請求項２１に記載の装置。
【請求項２９】
前記ＡＣＭプロファイルを選択する際に、それぞれのＡＣＭプロファイルは、前記合成データストリームから前記同期トリビュタリの中のどれを除外するべきかを特定し、
前記コンバイナは、前記合成データストリームから、前記選択されたＡＣＭプロファイルの中で特定された前記同期トリビュタリの前記入力データを除外しながら、前記入力データを多重化するべく構成されている請求項２８に記載の装置。
【請求項３０】
前記入力データは、前記同期トリビュタリの中の１つをカプセル化する一連のデータパケットを有し、
前記送信機は、前記コンバイナに、前記一連の中の前記データパケットを廃棄することによって、前記合成データストリームから前記同期トリビュタリの中の前記１つのものの前記入力データを除外させるべく構成されている請求項２１に記載の装置。
【請求項３１】
１つ又はそれ以上の前記データ発信元はパケット発信元を有し、
前記コンバイナは、更に、前記パケット発信元から前記通信リンク上における送信のためのデータパケットを受け取るべく構成され、
前記相対的な優先順位は、前記同期トリビュタリに対して及び前記パケットに対して一緒に割り当てられ、
前記コンバイナは、前記データパケットのフローを選択的に規制しつつ、前記同期トリビュタリ及び前記パケット発信元より受け取った前記データパケットから受け取った、前記入力データを一緒に多重化するべく構成されている請求項２１に記載の装置。
【請求項３２】
それぞれの優先順位の値は、前記パケットのそれぞれに対して個々に割り当てられる請求項３１に記載の装置。
【請求項３３】
それぞれの優先順位の値は、前記パケット発信元のそれぞれに対して割り当てられる請求項３１に記載の装置。
【請求項３４】
前記プロセッサは、
前記同期トリビュタリの属性に基づいてそれぞれの同期トリビュタリにおける数で示されるスコアを計算することによって、前記相対的な優先順位を割り当て、
前記コンバイナに、前記合成データストリームの前記データレートが前記通信リンクの前記現在利用可能なデータレートを超えないまで、最小のスコアを有する前記同期トリビュタリを順次除外させる、
べく構成されている請求項２１に記載の装置。
【請求項３５】
前記送信された合成データストリームを受信し、且つ、前記受信した合成データストリームを逆多重化して、前記入力データを再構成するべく構成された受信機を有している請求項２１に記載の装置。
【請求項３６】
前記プロセッサは、前記受信機が前記受信した合成データストリームを逆多重化できるように、前記受信機に対して前記合成データストリームの中に前記データ発信元の中のどれが多重化されているのかを示すべく構成されている請求項３５に記載の装置。
【請求項３７】
前記同期トリビュタリの中の少なくとも１つのものの前記入力データは、階層的構造のＴＤＭデータを有している請求項２１に記載の装置。
【請求項３８】
前記通信リンクは、マイクロ波及びミリメートル波リンクの中の１つを有している請求項２１に記載の装置。
【請求項３９】
前記通信リンクは、ポイントツーマルチポイント形態において動作される複数の通信リンクの中の１つである請求項２１に記載の装置。
【請求項４０】
合成データストリームを形成するために、２つ又はそれ以上のデータ発信元から受け取った入力データを多重化するべく構成されたコンバイナであって、１つ又はそれ以上の前記データ発信元が連続した同期トリビュタリを有している、コンバイナと、
通信リンクの現在利用可能なデータレートにおいて、前記通信リンク上において前記合成データストリームを送信するべく構成された、可変レート送信機と、
前記合成データストリームのデータレートを前記通信リンクの前記現在利用可能なデータレートに対して一致させるために、前記現在利用可能なデータレートを決定し、且つ、前記データ発信元に割り当てられた相対的な優先順位に基づいて前記合成データストリームから前記データ発信元の中の少なくとも１つものの前記入力データを前記コンバイナに選択的に除外させるべく構成されたプロセッサと、
を有していることを特徴とする通信装置。
【請求項４１】
通信リンクの現在利用可能なデータレートに対して合成データストリームのデータレートを一致させ、且つ、無線チャンネル上において前記合成データストリームを送信するために、２つ又はそれ以上のデータ発信元から入力データを受け取り、且つ、前記合成データストリームを形成するために前記データ発信元から受け取った前記入力データを多重化するべく構成された送信システムであって、１つ又はそれ以上の前記データ発信元が連続した同期トリビュタリを有しており、更に、前記それぞれのデータ発信元に割り当てられた相対的な優先順位に基づいて前記合成データストリームから前記同期トリビュタリの中の少なくとも１つのものの前記入力データを選択的に除外する、送信システムと、
前記送信された合成データストリームを受信し、且つ、前記入力データを再構成するために前記合成データストリームを逆多重化するべく構成された受信システムと、
を有していることを特徴とする可変レート通信リンク。
【請求項４２】
それぞれの前記同期トリビュタリにおける前記入力データは時分割多重（ＴＤＭ）を用いて多重化される請求項４１に記載のリンク。
【発明の詳細な説明】
【技術分野】
【０００１】
本発明は、全体に通信リンクに関し、特に、可変レート通信リンク上における同期接続（ｓｙｎｃｈｒｏｎｏｕｓ  ｃｏｎｎｅｃｔｉｏｎ）を搬送するための方法及びシステムに関する。
【背景技術】
【０００２】
いくつかの通信リンク（ｃｏｍｍｕｎｉｃａｔｉｏｎ  ｌｉｎｋ）は、例えば、変化するチャンネル状態に応答して、そのデータ送信レートを変える。可変レート通信リンクを動作させるための様々な方法及びシステムが従来技術において知られている。例えば、特許文献１は、ポイントツーポイント・パケット・マイクロ波無線リンクを説明しており、その開示内容は参照することにより本明細書に組み込まれる。無線リンク上の効率を改善するために、パケットは、それぞれのパケットに割り当てられた少なくとも１つのサービス品質（Ｑｕｏｌｉｔｙ  ｏｆ  Ｓｅｒｖｉｃｅ：ＱｏＳ）パラメータに基づいて、送信前に分類される。信号は、リアルタイムの適応型変調を用いて変調される。変調は、現在のトラフィック（ｔｒａｆｆｉｃ）量、無線リンク上における伝搬条件を示す信号品質測定結果、及び信号に含まれるパケットの分類に基づいて適応させられる。
【０００３】
多くの通信システム及びサービスは、同期トリビュタリ（ｔｒｉｂｕｔａｒｙ）とも称される、連続同期接続を用いる。いくつかの同期接続は、特定の時分割多重（Ｔｉｍｅ−Ｄｉｖｉｓｉｏｎ−Ｍｕｌｔｉｐｌｅｘｉｎｇ：ＴＤＭ）プロトコルに従って、データを搬送する。このプロトコルでは、多数のデータストリームが同時に多重化される。いくつかの場合、データストリームは、階層構造において多重化される。
【０００４】
同期接続は、例えば、Ｔ１接続又はＥ１接続を含むことができる。より高いレートの同期接続は、Ｔ２，Ｔ３及びＥ２、Ｅ３リンクのような、多数のＴ１又はＥ１搬送波（ｃａｒｒｉｅｒ）を含むことができる。（Ｔ１、Ｔ２・・・リンクは、またＤＳ１、ＤＳ２・・・とも称される）ＤＳ１、ＤＳ２及びＤＳ３リンクは、「電気通信のための米国規格  ーデジタルハイアラーキ  ー  電気インターフェース」（１９９３年１２月）と題された、米国規格協会（ＡＮＳＩ（登録商標））の標準Ｔ１．１０２−１９９３において規定されており、この内容は参照することにより本明細書に組み込まれる。
【０００５】
いくつかのアプリケーションでは、例えば、プレジオクロナスデジタルハイアラーキ（ＰＤＨ）、同期デジタルハイアラーキ（ＳＤＨ）、及び同期光ネットワーク（ＳＯＮＥＴ）アーキテクチャ等において、多数の同期デジタル接続が多重化されて高データレートの同期接続を生み出している。ＰＤＨアーキテクチャは、例えば、「デジタル送信システムの一般的側面  ー端末装置ー  階層的デジタルインターフェースの物理的／電気的特性」（１９９１年スイス、ジュネーブ）、と題された国際電気通信連合（ＩＴＵ）のＧ．７０３勧告において、及び、「シリーズＧ：送信システム及びメディア、デジタルシステム及びネットワーク、デジタル送信システム  ー端末装置ー  一般、１５４４、６３１２、２０４８、８４４８及び４４７３６Ｋｂｉｔ／ｓの階層レベルにおいて使用される同期フレーム構造」（１９９８年１０月）と題されたＩＴＵ電気通信標準化部門（ＩＴＵ−Ｔ）のＧ．７０４勧告において、述べられており、これらの内容は参照することにより本明細書に組み込まれる。
【０００６】
ＳＤＨアーキテクチャは、例えば、「デジタル送信システムの一般的側面；端末装置  ー同期デジタルハイアラーキ（ＳＤＨ）装置機能ブロックの特性」（１９９４年１月）と題されたＩＴＵ−ＴのＧ．７８３勧告において、及び、「シリーズＧ：送信システム及びメディア、デジタルシステム及びネットワーク、デジタル端末装置  ー一般；  シリーズＹ：グローバルインフォメーションインフラストラクチャ及びインターネットプロトコルの側面、インターネットプロトコルの側面  ー同期デジタルハイアラーキ（ＳＤＨ）のためのトランスポートネットワークノードインターフェース」と題されたＩＴＵ−ＴのＧ．７０７／Ｙ．１３２２勧告において、述べられており、これらの内容は参照することにより本明細書に組み込まれる。
【０００７】
ＳＯＮＥＴは、例えば、「同期光ネットワーク（ＳＯＮＥＴ）トランスポートシステム：コモン・ジェネリック・クライテリア（Ｃｏｍｍｏｎ  Ｇｅｎｅｒｉｃ  Ｃｒｉｔｅｒｉａ）」（２０００年９月、３刷、１−４章）と題されたテルコルディア（商標）テクノロジーズ（Ｔｅｌｃｏｒｄｉａ  Ｔｅｃｈｎｏｌｏｇｉｅｓ）（ニュージャージ州、ピスカタウェイ）による標準ＧＲ−２５３−ＣＯＲＥにおいて、及び、「同期光ネットワーク（ＳＯＮＥＴ）  ー多重構造、レート及びフォーマットを含む基本的な解説」（２００２年）と題された米国電気通信産業ソリューション連合により出版された規格において述べられており、これらの内容は参照することにより本明細書に組み込まれる。
【０００８】
【特許文献１】米国特許出願公開第２００５／００７５０７８号明細書
【発明の開示】
【０００９】
本発明の実施形態は、可変データレートを有する無線通信リンク上における送信のために、２つ又はそれ以上のデータ発信元から入力データを受け取る段階であって、１つ又はそれ以上の上記データ発信元が連続した同期トリビュタリを有している、段階と、上記データ発信元に対してそれぞれの相対的な優先順位を割り当てる段階と、上記通信リンクの現在利用可能なデータレートを決定する段階と、合成データストリームを形成するために上記データ発信元から受け取った上記入力データを多重化する段階と、上記合成データストリームのデータレートを上記通信リンクの上記現在利用可能なデータレートに対して一致させるために、上記それぞれの相対的な優先順位に基づいて、上記合成データストリームから上記同期トリビュタリの中の少なくとも１つのものの上記入力データを選択的に除外する段階と、上記通信リンク上において上記合成データストリームを送信する段階と、を有している通信のための方法を提供する。
【００１０】
いくつかの実施形態では、それぞれの上記同期トリビュタリにおける上記入力データは時分割多重（ＴＤＭ）を用いて多重化される。開示された実施形態では、上記通信リンクはポイントツーポイントリンクを有している。
【００１１】
上記現在利用可能なデータレートを決定する段階は、通常、上記通信リンクの反対側において上記送信された合成データストリームを受信する段階と、上記受信した合成データストリームの受信品質を評価する段階と、上記評価された受信品質に応答して上記現在利用可能なデータレートを決定する段階と、を有している。いくつかの実施形態では、上記受信品質を評価する段階は、上記受信した合成データストリームにおける受信信号レベル（ＲＳＬ）、信号対雑音比（ＳＮＲ）、信号対干渉雑音比（ＳＩＮＲ）、平均二乗誤差（ＭＳＥ）、ビット誤り率（ＢＥＲ）及びフレーム誤り率（ＦＥＲ）からなるメトリックのグループから選択された少なくとも１つのメトリックを含む受信品質メトリックを評価する段階を有している。
【００１２】
他の実施形態では、上記合成データストリームを送信する段階は、前方誤り訂正（ＦＥＣ）符号を用いて上記合成データストリームを符合化する段階を有し、上記送信された合成データストリームを受信する段階は、ＦＥＣ復号器を用いて上記ＦＥＣ符号を復号する段階を有し、上記受信品質を評価する段階は、上記ＦＥＣ復号器により提供されるメトリックを用いて上記受信品質を評価する段階を有している。また他の実施形態では、上記送信された合成データストリームを受信する段階は、適応型係数を有する適応型イコライザを用いて上記受信した合成データストリームにフィルタをかける段階を有し、上記受信品質のメトリックは、上記適応型係数の値に基づいている。
【００１３】
更に他の実施形態では、上記合成データストリームを送信する段階は、変調スキーム及び前方誤り訂正（ＦＥＣ）符号それぞれを定める事前に定められた適応型符号変調（ＡＣＭ）プロファイルの組から、上記現在利用可能なデータレートに対応するＡＣＭプロファイルを選択する段階と、上記選択されたＡＣＭプロファイルによって定義されるＦＥＣ符号を用いて上記合成データストリームを符合化する段階と、上記選択されたＡＣＭプロファイルによって定義される変調スキームを用いて上記符合化されたデータストリームを変調する段階と、を有している。
【００１４】
開示された実施形態では、上記相対的な優先順位を割り当てる段階は、上記ＡＣＭプロファイルを選択する際に、それぞれのＡＣＭプロファイルの中で上記データ発信元の中のどれを、上記合成データストリームから除外するべきかを特定する段階を有し、上記入力データを多重化する段階は、上記合成データストリームから、上記選択されたＡＣＭプロファイルの中で特定された上記データ発信元の上記入力データを除外する段階を有している。
【００１５】
いくつかの実施形態では、上記入力データを受け取る段階は、上記同期トリビュタリの中の１つをカプセル化する一連のデータパケットを受け取る段階を有し、上記合成データストリームから上記同期トリビュタリの中の上記１つのものの上記入力データを除外する段階は、上記一連の中の上記データパケットを廃棄する段階を有している。
【００１６】
ある実施形態では、１つ又はそれ以上の上記データ発信元はパケット発信元を有し、上記入力データを受け取る段階は、上記パケット発信元から上記通信リンク上における送信のためのデータパケットを受け取る段階を有し、上記相対的な優先順位を割り当てる段階は、上記同期トリビュタリに対して及び上記パケットに対して上記優先順位を一緒に割り当てる段階を有し、上記入力データを多重化する段階は、上記データパケットのフローを選択的に規制しつつ、上記同期トリビュタリ及び上記パケット発信元より受け取った上記データパケットから受け取った、上記入力データを一緒に多重化する段階を有している。上記パケットに対して上記優先順位を割り当てる段階は、それぞれの上記パケットに対してそれぞれの優先順位の値を個々に割り当てる段階を有していても良い。代わりに、上記パケットに対して上記優先順位を割り当てる段階は、上記パケット発信元のそれぞれに対して、それぞれの優先順位の値を割り当てる段階を有していても良い。
【００１７】
他の実施形態では、上記相対的な優先順位を割り当てる段階は、上記同期トリビュタリの属性に基づいてそれぞれの同期トリビュタリにおける数で示されるスコアを計算する段階を有し、上記合成データストリームから上記入力データを選択的に除外する段階は、上記合成データストリームの上記データレートが上記通信リンクの上記現在利用可能なデータレートを超えないまで、最小のスコアを有する上記同期トリビュタリを順次除外する段階を有している。
【００１８】
また他の実施形態では、上記方法は、上記通信リンクの反対側において受信機によって上記送信された合成データストリームを受信する段階と、上記受信した合成データストリームを逆多重化して、上記入力データを再構成する段階と、を有している。上記合成データストリームを送信する段階は、上記受信機が上記受信した合成データストリームを逆多重化できるように、上記受信機に対して上記合成データストリームの中に上記データ発信元の中のどれが多重化されているのかを示す段階を有していても良い。
【００１９】
更に他の実施形態では、上記同期トリビュタリの中の少なくとも１つのものの上記入力データは、階層的構造のＴＤＭデータを有している。開示された実施形態では、上記通信リンクは、マイクロ波及びミリメートル波リンクの中の１つを有している。いくつかの実施形態では、上記無線通信リンクは、ポイントツーマルチポイント形態において動作される複数の無線通信リンクの中の１つである。
【００２０】
また、本発明の一実施形態に従って、可変データレートを有する無線通信リンク上における送信のために、２つ又はそれ以上のデータ発信元から入力データを受け取る段階であって、１つ又はそれ以上の上記データ発信元が連続した同期トリビュタリを有している、段階と、上記データ発信元に対してそれぞれの相対的な優先順位を割り当てる段階と、上記通信リンクの現在利用可能なデータレートを決定する段階と、合成データストリームを形成するために上記データ発信元から受け取った上記入力データを多重化する段階と、上記合成データストリームのデータレートを上記通信リンクの上記現在利用可能なデータレートに対して一致させるために、上記それぞれの相対的な優先順位に基づいて、上記合成データストリームから上記データ発信元の中の少なくとも１つのものの上記入力データを選択的に除外する段階と、上記通信リンク上において上記合成データストリームを送信する段階と、を有している通信のための方法が提供される。
【００２１】
更に、本発明の一実施形態に従って、合成データストリームを形成するために、２つ又はそれ以上のデータ発信元から受け取った入力データを多重化するべく構成されたコンバイナであって、１つ又はそれ以上の上記データ発信元が連続した同期トリビュタリを有している、コンバイナと、通信リンクの現在利用可能なデータレートにおいて、上記通信リンク上において上記合成データストリームを送信するべく構成された、可変レート送信機と、上記合成データストリームのデータレートを上記通信リンクの上記現在利用可能なデータレートに対して一致させるために、上記現在利用可能なデータレートを決定し、且つ、上記データ発信元に割り当てられた相対的な優先順位に基づいて上記合成データストリームから上記同期トリビュタリの中の少なくとも１つのものの上記入力データを上記コンバイナに選択的に除外させるべく構成されたプロセッサと、を有している通信装置が提供される。
【００２２】
本発明については、添付図面との関連において、その実施形態に関する以下の詳細な説明を参照することにより、更に十分に理解することができよう。
【発明を実施するための最良の形態】
【００２３】
概要
適応型符号変調（Ａｄａｐｔｉｖｅ  Ｃｏｄｉｎｇ  ａｎｄ  Ｍｏｄｕｌａｔｉｏｎ：ＡＣＭ）を用いるリンクのような可変レート通信リンクを動作させる際には、送信のために現在利用可能なデータレート（ｄａｔａ  ｒａｔｅ）は時間と共に変化する。リンクデータレートは、他のファクタと同様に、チャンネル状態の変化に応答して変化し得る。一方で、同期接続は、通常、特定の固定データレートを使用しており、データレートのフレキシビリティ（ｆｌｅｘｉｂｉｌｉｔｙ）がほとんどないか、又は全くない。同期接続の固有の固定レートの性質は、可変レート通信リンク上においてそのような接続を搬送する際に非常な困難を引き起こす。
【００２４】
以下に述べる本発明の実施形態は、可変レート通信リンク上において効率的に同期接続を搬送するための方法及びシステムを提供する。いくつかの実施形態では、送信システムは、ポイントツーポイント無線通信リンク上において受信システムと通信する。送信システムは、多数の連続した同期トリビュタリから入力データを受け取る。送信システムは、受信システムからフィードバックされる情報にしばしば基づいて、送信のために現在利用可能であるデータレートを決定する。送信システムにおけるコンバイナ（ｃｏｍｂｉｎｅｒ）は、同期トリビュタリから受け取った入力データを多重化して合成データストリーム（ｃｏｍｐｏｓｉｔｅ  ｄａｔａ  ｓｔｒｅａｍ）を形成する。この合成データストリームは、現在利用可能なデータレートにおいてリンク上を送信される。
【００２５】
リンクの現在利用可能なデータレートに対して合成データストリームのデータレートを一致させるために、コンバイナは、入力データが多重化される前に、少なくともいくつかの同期トリビュタリの入力データを選択的にブロック（ｂｌｏｃｋ）する。
【００２６】
選択的なブロック動作は、通常、トリビュタリに対して割り当てられた相対的な優先順位に基づいている。例えば、いくつかの同期接続がデータサービスを伝送しており、更に他の同期接続が音声を伝送しているとする。データ接続は、通常、音声接続よりも、一時的な中断（ｉｎｔｅｒｒｕｐｔｉｏｎ）に対して耐性がある。データ接続において、一時的な中断はしばしば検知されて高次のレイヤによって補償され得る。一方、音声接続は、その待ち時間（ｌａｔｅｎｃｙ）が短く、リアルタイムな性質のために、中断に対して非常に傷つき易い。この理由のため、音声を伝送する同期接続は、しばしばデータを伝送する接続に対して優先的に取り扱われる。
【００２７】
いくつかの実施形態では、送信機は、同期トリビュタリに加えて、１つ又はそれ以上のパケット発信元から到着したパケットデータもまた搬送する。パケット又はパケット発信元は、また相対的な優先順位が割り当てられる。送信機はこれらの発信元からのパケットの流れを調整するので、トリビュタリ及びパケット発信元の両方からに由来するデータを備えた合成データストリームは、通信リンクの現在利用可能なデータレートに一致するデータレートを有する。
【００２８】
システムの説明
図１は、本発明の一実施形態に従って、通信リンク２０を模式的に説明するブロックダイアグラムである。リンク２０は、無線チャンネル上において通信する送信（ＴＸ）システム２４及び受信（ＲＸ）システム２８を有する。本発明の本質はいかなるタイプの通信リンクにおいても使用できるが、いくつかの実施形態では、リンク２０はポイントツーポイント・マイクロ波リンクを有する。
【００２９】
以下の説明はシステム２４からシステム２８への同期接続を搬送（ｔｒａｎｓｐｏｒｔ）するプロセスを扱う。この理由のため、以下に示されるように、システム２４及び２８は両方の方向において通信するけれども、システム２４は送信システムと呼ばれ、システム２８は受信システムと呼ばれる。例となる図１の実施形態では、リンクの逆方向（ＲＸシステム２８からＴＸシステム２４へ）は、リンク管理目的のためのフィードバックチャンネルとして使用される。しかしながら、いくつかの実施形態では、リンク２０は双方向リンクを有し、この双方リンクは可変データレートにおいて両方の方向における同期接続を搬送する。これらの形態において、ここで述べられる方法及びシステムはリンクの両方の方向において実装され得る。
【００３０】
システム２４は、多数のトリビュタリ３２からリンク上において送信のための入力データを受け取る。それぞれのトリビュタリにおける入力データは、特定の同期プロトコル又は標準規格に適合する。本特許出願の文脈において及び特許請求の範囲において、「同期接続」及び「トリビュタリ」という言葉は、そのタイミングが送信側及び受信側の両方の間で同期され、データがストリーミングで連続したプロトコルに従って送信される任意の通信接続を述べるために用いられる。いくつかの場合において、必ずしもではないけれども、同期トリビュタリにおけるデータは時分割多重（Ｔｉｍｅ  Ｄｉｖｉｓｉｏｎ  Ｍｕｌｔｉｐｌｅｘｉｎｇ：ＴＤＭ）を用いて多重化される。同期接続は、例えば、Ｔ１及びＥ１接続、多数のＴ１又はＥ１リンクを含む接続、同期転送モード１（ＳＴＭ−１）リンクのような高容量リンク、及びＰＤＨ、ＳＤＨ及びＳＯＮＥＴのような階層的構造化された接続を含み得る。ＰＤＨ及びＳＯＮＥＴのようなプレジオクロナス（ｐｌｅｓｉｏｃｈｒｏｎｏｕｓ）接続は、また、本文脈において同期接続であると考えられることに留意されたい。
【００３１】
いくつかの実施形態において、リンク２０は、また、同期接続に加えてパケットデータを搬送する。これらの実施形態では、システム２４は、１つ又はそれ以上のパケット発信元３６からパケットを受け取る。パケットは、例えば、インターネットプロトコル（ＩＰ）パケット、イーサネット（登録商標）パケット、非対称転送モード（ＡＴＭ）パケット、又は任意の他の適切なプロトコル又は標準規格に適合するパケットを含み得る。
【００３２】
システム２４はコンバイナ４０を備えており、このコンバイナ４０は、トリビュタリ３２及びパケット発信元３６から受け取った入力データを合成して、１つの合成データストリームを形成する。送信機（ＴＸ）４４は、無線チャンネル上においてＲＸシステム２８に対して合成データストリームを送信する。ＴＸ４４は、通常、合成データストリームを適切な前方誤り訂正（Ｆｏｗａｒｄ  Ｅｒｒｏｒ  Ｃｏｒｒｅｃｔｉｏｎ：ＦＥＣ）符号を用いて符合化し、その符合化されたデータストリームを適切な変調スキーム（ｓｃｈｅｍｅ）を用いて変調する。送信機は、その後、変調された信号をアナログ信号に変換し、そのアナログ信号を適切な無線周波数（ｒａｄｉｏ  ｆｒｅｑｕｅｎｃｙ：ＲＦ）にアップコンバート（ｕｐ−ｃｏｎｖｅｒｔ）し、その後増幅して、ＲＦ信号を送信アンテナ４８を介して送信する。
【００３３】
ＲＸシステム２８は、ＲＦ信号を受信アンテナ７２を介して受信する受信機（ＲＸ）７６を備えている。受信機は、ＲＦ信号をダウンコンバート（ｄｏｗｎ−ｃｏｎｖｅｒｔ）し、信号をデジタル化し、変調された信号を使用された変調スキームに従って復調して、ＦＥＣを復号する。受信機７６は、そのようにして、コンバイナ４０によって形成された合成データストリームを再構成する。デマルチプレクサ（ＤＥＭＵＸ）８０は、異なる同期トリビュタリ及びパケットを抽出するために、合成データストリームを分離する。デマルチプレクサ８０は、多数の出力８４を形成する。これらの出力８４は、一般に、トリビュタリ３２及びパケット発信元３６に対して一対一の対応を有する。
【００３４】
送信機４４及び受信機７６は、可変データレートにおいて動作する。通常、リンク上において使用されるデータレート（即ち、変調され且つ符合化されてＴＸ４４によって送信される信号のデータレート）は、無線チャンネルの状態に従って変化する。チャンネル状態が良好な場合、データレートは可能であるより高いスループットまで増加し得る。チャンネル状態が劣化した場合は、データレートは、リンクバジェット（ｌｉｎｋ  ｂｕｄｇｅｔ）を改善するために、減少される。
【００３５】
いくつかの場合には、リンク２０は、特定のビット誤り率（Ｂｉｔ  Ｅｒｒｏｒ  Ｒａｔｅ：ＢＥＲ）要求又は他の品質サービス（Ｑｕａｌｉｔｙ−ｏｆ−Ｓｅｒｖｉｃｅ：ＱｏＳ）制約に従って動作する。これらの場合において、リンクデータレートは、現在のチャンネル状態が与えられて、ＱｏＳ制約に従うように選択される。代替実施形態では、リンクデータレートは、受信機において測定される信号対雑音比（Ｓｉｇｎａｌ  ｔｏ  Ｎｏｉｓｅ  Ｒａｔｉｏ：ＳＮＲ）のような他のファクタに依存しても良い。
【００３６】
いくつかの実施形態では、ＴＸ４４及びＲＸ７６は、適応型符号変調（Ａｄａｐｔｉｖｅ  Ｃｏｄｉｎｇ  ａｎｄ  Ｍｏｄｕｌａｔｉｏｎ：ＡＣＭ）を用いてリンクデータレートを変える。ＡＣＭにおいて、ＦＥＣ符号レート及び変調のために使用された信号の信号点配置（ｃｏｎｓｔｅｌｌａｔｉｏｎ）は、所望のデータレート及び／又は品質サービスを形成するために一緒に選択される。通常、符号レート及び信号の信号点配置の２つ又はそれ以上の組み合わせが事前に定義されている。符号レートと信号の信号点配置とのそれぞれの組み合わせは、本明細書ではＡＣＭプロファイルと呼ばれる。適切なＡＣＭプロファイルが選択されて、ＴＸ及びＲＸモデムの間で調整される。
【００３７】
ＴＸシステム２４はＴＸコントローラ（ＴＸ  ＣＴＲＬ）６４を備えており、ＲＸシステム２８はＲＸコントローラ（ＲＸ  ＣＴＲＬ）８８を備えている。通常、コントローラ６４及び８８は、汎用プロセッサを有しており、これは、本明細書に記述されている機能を実行するべく、ソフトウェアにおいてプログラムされている。ソフトウェアは、ネットワーク上において又は無線チャンネル上においてリンクの反対側からのように、電子的な形態においてプロセッサにダウンロード可能である。それぞれのコントローラは、そのそれぞれのシステムの動作を管理する。具体的には、２つのコントローラは、システム２４及び２８の間でデータレートの選択プロセス（例えば、ＡＣＭプロファイルの選択）を調整する。データレートの選択を調整するために、コントローラ６４及び８８は、管理情報をお互いに交換する。
【００３８】
ＴＸコントローラ６４は、ＴＸ４４からＲＸ７６に対して送られた合成データストリームの中に情報を埋め込むことによって、管理情報をＲＸコントローラ８８に対して送ることができる。反対の方向において、ＲＸコントローラ８８は、フィードバックチャンネルを用いて、管理情報をＴＸコントローラ６４に対して送る。図１の実施形態において、ＲＸシステム２８は、管理情報をＴＸシステム２４におけるフィードバック受信機６８に対して送信する、フィードバック送信機９２を備えている。代わりに、リンク２０が双方向リンクを有している場合、フィードバックチャンネルの機能性は、送信機及び反対のリンク方向の受信機の中に組み込まれることができる。
【００３９】
適切なＡＣＭプロファイルの選択は、通常、ＲＸ７６において評価された受信品質に基づいている。ＲＸ７６及び／又はＲＸコントローラ８８は、受信品質を評価し、評価された品質（又は結果として生じるＡＣＭプロファイル）をフィードバックチャンネル上においてＴＸコントローラ６４に対して報告する。評価された受信品質に基づいて、コントローラ８８及び６４は、リンクの現在利用可能なデータレート及び適切なＡＣＭプロファイルを決定する。受信品質評価及びＡＣＭプロファイル選択機能は、システム２４及び２８の間で様々な方法で分けられ得る。例えば、ＲＸコントローラ８８は、受信品質を評価し、適したＡＣＭプロファイルを選択して、選択されたプロファイルをＴＸコントローラ６４に対して知らせ得る。代替実施形態では、ＲＸコントローラは評価した受信品質を報告し、ＴＸコントローラはそれに応じてＡＣＭプロファイルを選択する。
【００４０】
ＲＸ７６及び／又はＲＸコントローラ８８は、受信品質を評価するために任意の適切な品質メトリック（ｍｅｔｒｉｃ）を使用できる。品質メトリックは、例えば、受信した信号の受信信号レベル（Ｒｅｃｅｉｖｅｄ  Ｓｉｇｎａｌ  Ｌｅｖｅｌ：ＲＳＬ）、信号対雑音比（Ｓｉｇｎａｌ  ｔｏ  Ｎｏｉｓｅ  Ｒａｔｉｏ：ＳＮＲ）、信号対干渉雑音比（Ｓｉｇｎａｌ  ｔｏ  Ｉｎｔｅｒｆｅｒｅｎｃｅ  ａｎｄ  Ｎｏｉｓｅ  Ｒａｔｉｏ：ＳＩＮＲ）、又は平均二乗誤差（Ｍｅａｎ  Ｓｑｕａｒｅ  Ｅｒｒｏｒ：ＭＳＥ）を含み得る。代わりに、受信品質メトリックは、ＦＥＣ符号による誤り訂正の前又は後の何れかの受信した信号のビット誤り率（Ｂｉｔ  Ｅｒｒｏｒ  Ｒａｔｅ：ＢＥＲ）又はフレーム誤り率（Ｆｒａｍｅ  Ｅｒｒｏｒ  Ｒａｔｅ：ＦＥＲ）を含み得る。
【００４１】
いくつかの実施形態において、ＲＸ７６は、受信した信号にフィルタをかける適応型イコライザを備えている。イコライザは、通常、係数の組を持つデジタルフィルタを有しており、その係数の値は、無線チャンネルの応答及び他の機能障害を補償するために適応している。これらの実施形態では、受信品質はイコライザ係数値を用いて評価可能である。例えば、受信品質メトリックは、最大の絶対値を有する係数のエネルギーと全てのイコライザ係数の総エネルギーとの間の比を包含可能である。代わりに、メトリックは、最大の絶対値の係数のエネルギーと、最大の係数を除いた全ての他のイコライザ係数の総エネルギーとの間の比を包含可能である。
【００４２】
いくつかの実施形態では、ＴＸ４４及びＲＸ７６により使用されるＦＥＣ符号が、リンクの受信品質を評価するための品質メトリックとして用いられ得るメトリックを形成する。例えば、ＦＥＣは、当技術分野において公知である低密度パリティ検査（Ｌｏｗ−Ｄｅｎｓｉｔｙ  Ｐａｒｉｔｙ  Ｃｈｅｃｋ：ＬＤＰＣ）符号又はターボ符号（Ｔｕｒｂｏ  ｃｏｄｅ）のような反復符号（ｉｔｅｒａｔｉｖｅ  ｃｏｄｅ）を包含可能である。反復符号の復号器（ｄｅｃｏｒｄｅｒ）は、しばしば、尤度比（Ｌｉｋｅｌｉｈｏｏｄ  Ｒａｔｉｏｓ：ＬＲ）又は対数尤度比（Ｌｏｇ  Ｌｉｋｅｌｉｈｏｏｄ  Ｒａｔｉｏｓ：ＬＬＲ）のようなメトリックを形成し、これらのメトリックは受信品質メトリックとして使用可能である。
【００４３】
いくつかのＦＥＣ符号の復号器は、具体的にはブロック符号の復号器は、復号の性能又は成功（ｓｕｃｃｅｓｓ）を表わすメトリックを形成する。例えば、ブロック符号復号器は、しばしば、復号されたブロックが誤りを含むのかどうか、即ち論理的な符号ワードが見つけられたのかどうか、を指し示す。復号器は、また、特定のブロックにおいて見つけられた誤りの数を指し示す。そのようなＦＥＣ復号器は、また、受信品質メトリックとして使用可能である。代わりに、また任意の他の適切なメトリックが、上述したメトリックの組み合わせと同様に、この目的のために使用可能である。
【００４４】
可変レートリンク上における固定レート同期トリビュタリの搬送
リンクデータレートを決定し且つ変化させるためのＴＸ４４及びＲＸ７６により用いられる特有のメカニズム及び基準にもかかわらず、その時々で、リンクは、ＴＸシステム２４からＲＸシステム２８に対してデータを転送するために使用可能な、特定の現在利用可能なデータレートを有する。明らかに、現在利用可能なデータレートは、コンバイナ４０によって形成された合成データストリームのデータレートに対して上限を生ずる。
【００４５】
現在利用可能なデータレートは、時間と共に、例えば変化するチャンネル状態に応答して変化する。一方、トリビュタリ３２は、固定データレートを有する。例えば、Ｔ１トリビュタリは、毎秒１．５４４Ｍｂｉｔｓの固定データレートを有する。合成データストリームのデータレートをリンクの現在利用可能なデータレートに対して一致させるために、コンバイナ４０は、データを多重化する前に、少なくともいくつかのトリビュタリ３２のデータを選択的にブロックする。
【００４６】
現在利用可能なデータレートが高い時（例えば、チャンネル状態が良好な時）、コンバイナ４０は全てのトリビュタリのデータが合成データストリームの中に多重化されることを許容する。チャンネル状態が劣化した時など、リンクの現在利用可能なデータレートが低下した時、合成データストリームのデータレートはそれに応じて減少されるべきである。コンバイナ４０は、いつくつかのトリビュタリを選択的にブロックし、その結果として合成データストリームのデータレートを低減する。
【００４７】
いくつかの実施形態では、コンバイナ４０は、ＴＸコントローラ６４によって制御されるブロッキングユニット５２を有する。それぞれのブロッキングユニット５２は、ＴＸコントローラの制御に従って、そのそれぞれのトリビュタリのデータをブロックするか、又は、データの通過を許容することができる。コンバイナ４０はマルチプレクサ（ＭＵＸ）６０を有し、このマルチプレクサは、そのデータがブロックされないトリビュタリを多重化して合成データストリームを形成する。選択的にブロックする動作を用いることにより、ＴＸコントローラ６４は、リンクの現在利用可能なデータレートに一致させるように、合成データストリームのデータレートを増加又は減少することができる。
【００４８】
ブロッキングユニット５２は、ＭＵＸ６０からそれぞれのトリビュタリを物理的に切断するスイッチ又は同様の回路を備え得る。代わりに、ブロック機能性は、ＭＵＸ６０がトリビュタリを多重化する順番を変更することにより、物理的にデータをブロックすることなく実装され得る。例えば、あるトリビュタリをブロックするために、ＴＸコントローラ６４は、多重化シーケンスにおいてＭＵＸ６０にこのトリビュタリを抜かすように指示することができる。
【００４９】
いくつかの実施形態において、コンバイナ４０は、ブロック処置に関する発信元に知らせてデータ損失の量をできるだけ低減するために、様々なバッファリング（ｂｕｆｆｅｒｉｎｇ）、背圧制御（ｂａｃｋｐｒｅｓｓｕｒｅ）又は他のフロー制御メカニズムを、トリビュタリ３２の発信元に向けて適用可能である。当技術分野において既知である任意の適切なフロー制御メカニズムが、この目的のために使用可能である。代わりに、トリビュタリは、通知又はそれらの発信元との調整なしに、ブロックされ得る。
【００５０】
いくつかの実施形態において、１つ又はそれ以上の同期トリビュタリが、データパケットのそれぞれのストリームにおいてカプセル化（ｅｎｃａｐｓｕｌａｔｅ）される。例えば、データを伝送するあるＥ１リンクは擬似回線（Ｐｓｅｕｄｏ−Ｗｉｒｅ：ＰＷ）を用いてＩＰパケット上においてカプセル化され得る。パケットネットワーク上におけるＴＤＭ回路の擬似回線エミュレーション（ｅｍｕｌａｔｉｏｎ）のための方法が、例えば、リーゲルによる「パケットスイッチングネットワーク上において時分割多重（ＴＤＭ）回路のエッジツーエッジエミュレーションに対する要求」、インターネット・エンジニアリング・タスク・フォース（ＩＥＴＦ）のコメントに対する要求（ＲＦＣ）４１９７、（２００５年１０月）の中に記載されており、この内容は参照することにより本明細書に組み込まれる。これらの実施形態において、ＴＸコントローラ６４及びコンバイナ４０は、それぞれのパケットストリームに属するパケットを廃棄することによって、そのような同期トリビュタリをブロックする。
【００５１】
リンク２０が同期接続に加えてデータパケットを搬送する場合、コンバイナ４０は、それぞれのパケット発信元３６からパケットが到着することを調整するパケット制御ユニット５６を備え得る。例えば、ユニット５６は、パケットがＭＵＸ６０及びバッファに到着することをブロックする。パケットは、利用可能なデータレートがそれらのパケットを多重化するために十分になるまで、列をなして待つ。代わりに、ユニット５６は、任意の適切な方針又は基準に従ってパケットにフィルタをかけて、いくつかのパケットだけがＭＵＸ６０に到着するようにしても良い。また代わりに、ユニット５６は、到着するパケットのレート及びサイズに影響を与えるように、パケット発信元と相互交信しても良い。いくつかの例となるパケットレート制御方法が、上記特許文献１に記載されている。
【００５２】
通常、リンク２０の先験的な設定（ｃｏｎｆｉｇｒａｔｉｏｎ）は、選択的ブロック及びパケット制御に関して、トリビュタリ３２及びパケット発信元３６の間で相対的な優先順位を決定する。例えば、音声サービスと関係があるトリビュタリは、データサービスを提供するトリビュタリに対して優先される。他の例として、同期トリビュタリは、パケット発信元に対して優先される。任意の他の適切な方針がまた使用可能である。
【００５３】
ＴＸコントローラ６４は、どのトリビュタリをブロックするべきか、及び／又は、どのパケット又はパケット発信元を調整するべきかを決定するために様々な方針、規則又は条件を用い得る。現在利用可能なデータレートが与えられた状態で、ＴＸコントローラは、異なるトリビュタリのデータレート、異なるパケット発信元のパケットレート又は期待されるレートのようなトリビュタリ及びパケット発信元の様々な属性、所望のＱｏＳ、特定のトリビュタリ又はパケット発信元の待ち時間又はリアルタイム制限、トリビュタリ及びパケット発信元の間で定められた優先順位、及び／又は、任意の他の適切なパラメータの関数として、適切なブロッキング設定（ｂｌｏｃｋｉｎｇ  ｃｏｎｆｉｇｕｒａｔｉｏｎ）を決定し得る。
【００５４】
例えば、ＴＸコントローラは、上述した動作パラメータの関数として、それぞれのトリビュタリ及びパケット発信元に対するスコアを計算することができる。次に、最小のスコアを有するトリビュタリ及びパケット発信元が順次ブロック又は規制されて、合成データストリームのデータレートが現在利用可能なデータレートを超えなくなる。
【００５５】
いくつかの実施形態において、パケットは、パケットの属性に基づいて且つパケット発信元の同一性には従わないで、パケットごとの基準で規制される。例えば、特定のパケット発信元に最大回線容量（ｂａｎｄｗｉｄｔｈ）を割り当てることができる。到着するパケットの実際の回線容量が最大レベルを超えた場合、パケットは、パケットごとの基準で規制される。最大回線容量は、１つのパケット発信元に対して、１つの発信元のグループに対して、又は、全ての発信元に対して特定され得る。様々な基準が、どのパケットが許容されて、どのパケットが廃棄されるのかを決定するために使用可能である。例えば、パケットは、パケットが関連するトラフィックフロー、アプリケーション又はサービスに基づいて規制され得る。代わりに、パケットは、発信元アドレス、宛先アドレス又は他のヘッダフィールドのような、任意の他のパケット属性に基づいて規制され得る。いくつかの実施形態では、規制プロセスは、パケット属性と、そこからパケットが到着するパケット発信元３６の同一性との両方を考慮しても良い。
【００５６】
いくつかの実施形態では、ブロッキング設定の有限の組が、リンクのＡＣＭプロファイルの一部として事前に特定される。これらの実施形態では、ＡＣＭプロファイルの一組が、リンク設定（ｌｉｎｋ  ｃｏｎｆｉｇｕｒａｔｉｏｎ）の中で決定される。それぞれのＡＣＭプロファイルは、変調スキーム及びＦＥＣ符号、並びに、ユニット５２及びユニット５６の関連した設定の特定の選択を有する。コンバイナ４０の出力において合成データストリームの結果として生じるデータレートが、使用された変調スキーム及びＦＥＣ符号により定義されたデータレートに一致するように、個々のＡＣＭプロファイルにおけるユニット５２及び５６の設定は、リンクがこのＡＣＭプロファイルで動作する際に、どのトリビュタリがブロックされて、どのパケット又はパケット発信元が規制されるのかを特定する。
【００５７】
ＴＸシステム２４により使用されるブロッキング設定は、ＲＸシステム２８に報告されるので、デマルチプレクサ（ＤＥＭＵＸ）８０は、異なるトリビュタリ及びパケットを正確に逆多重化できる。ブロッキング設定がリンクのＡＣＭプロファイルの一部である時は、ＡＣＭプロファイルを本質的に調整することはブロッキング設定を調整することになる。別の方法では、特定のブロッキング設定は、例えばＴＸコントローラ６４からＲＸコントローラ８８に対して送信される管理情報を用いて、ＲＸシステムに報告されるべきである。
【００５８】
いくつかの場合には、多重化されたトリビュタリ及びパケット発信元の集まったデータレートは、ＡＣＭプロファイルによって定義されるリンクデータレートを超えないが、厳密に等しくもない。これらの場合には、追加の回線容量がトリビュタリの中の１つに時々提供され得る。代わりに、追加の回線容量は、リンクバジェットを改善するために、ＥＣＣの符号レートを低減するべく使用可能である。また代わりに、ＭＵＸ６０又はＴＸ４４は、合成データストリームのデータレートをリンクのデータレートに対して一致させるために、ダミーデータを追加するか、又は、任意の他のメカニズムを使用できる。
【００５９】
図２は、本発明の一実施形態に従って、可変レート通信リンク２０上において同期接続を搬送するための方法を模式的に説明するフローチャートである。図２の例の実施形態において、ブロッキング設定が、リンクのＡＣＭプロファイルにおいて事前に特定される。方法は、定義ステップ１００において、システム設計者又は他のユーザが、ＡＣＭプロファイルの一組及びそれぞれのＡＣＭプロファイルに関連するブロッキング設定を定義することから始める。
【００６０】
ＴＸシステム２４は、データ受け取りステップ１０４において、トリビュタリ３２及びパケット発信元３６から入力データを受け取る。ＴＸコントローラ及び／又はＲＸコントローラは、プロファイル選択ステップ１０８において、適切なＡＣＭプロファイルを選択する。通常、ＲＸ７６及び／又はＲＸコントローラ８８は、上述したように、受信品質メトリックを評価する。評価された品質メトリック及び所望のＱｏＳに基づいて、ＲＸコントローラ及び／又はＴＸコントローラは、適切なＡＣＭプロファイルを選択する。選択されたプロファイルは、個々の変調スキーム及び個々のＦＥＣ符号を特定するので、リンクの現在利用可能なデータレートを決定する。
【００６１】
ＴＸシステム２４は、ブロッキングステップ１１２において、選択的にトリビュタリ３２をブロックし、パケット発信元３６を選択的に制御する。ＴＸコントローラ６４は、上記ステップ１０８において選択されたＡＣＭプロファイルに従って、ユニット５２及び５６を設定するようにコンバイナ４０を制御する。コンバイナ４０は、多重化ステップ１１６において、ブロックされていないトリビュタリ及びデータパケットを多重化する。コンバイナは、そのように、リンクの現在利用可能なデータレートに一致するデータレートの合成データストリームを形成する。
【００６２】
ＴＸ４４は、送信ステップ１２０において、合成データストリームを送信する。ＴＸ４４は、選択されたＡＣＭプロファイルに従って、合成データストリームを符号化し且つ変調して、信号をＲＸシステム２８に送信する。ＲＸシステム２８は、受け取りステップ１２４において、信号を受信する。ＲＸ７６は、選択されたＡＣＭプロファイルに従って、信号を受信し、復調して、復号する。ＭＵＸ６０によって使用されたブロッキング設定を通知されたデマルチプレクサ８０は、合成データストリームを分離し、異なる同期トリビュタリ及びデータパケットを再構成して、出力する。
【００６３】
本明細書で述べられた実施形態は主にマイクロ波又はミリメートル波ポイントツーポイント通信リンク上における同期接続の搬送を扱っているが、本発明の原理は、また、ポイントツーマルチポイントシステムにおいて及び衛星リンクにおいてのような、他のアプリケーションにおいて使用可能である。
【００６４】
上述の実施形態は、一例として引用されたものであり、本発明は、以上において具体的に図示及び説明されたものに限定されないことを理解されたい。むしろ、本発明の範囲は、以上の説明を参照した際に当業者が想起すると共に従来技術には開示されていない前述の様々な特徴の組み合わせ及びサブ組み合わせの両方、並びに、その変形及び変更を包含している。
【図面の簡単な説明】
【００６５】
【図１】本発明の一実施形態に従って、通信リンクを模式的に説明するブロックダイアグラムである。
【図２】本発明の一実施形態に従って、可変レート通信リンク上において同期接続を搬送するための方法を模式的に説明するフローチャートである。
【図１】
2008271512.tif 000002
【図２】
2008271512.tif 000003